(57)【特許請求の範囲】
【請求項１】
基礎の上面に沿って配置され且つアルミニウム合金からなる押出形材により形成される建物用土台であって、
断面がほぼ矩形を呈し、その屋外側における水切り材の嵌合部および屋内側における根太受けの係止部の少なくとも一方を長手方向の全長に沿って形成していると共に、
上記建物用土台の嵌合部に追って嵌合される水切り材は、アルミニウム合金の押出形材からなり、上記嵌合部に嵌合する垂直片またはかかる垂直片に設けた嵌合突条、かかる垂直片の屋外側に位置する水平片、かかる水平片の屋外側に立設する突条、およびかかる突条から斜め下向きで且つ屋外側に傾斜する傾斜片を長手方向の全長に沿って形成している、
ことを特徴とする建物用土台。
【請求項２】
基礎の上面に沿って配置され且つアルミニウム合金からなる押出形材により形成される建物用土台であって、
断面がほぼ矩形を呈し、その屋外側における水切り材の嵌合部および屋内側における根太受けの係止部の少なくとも一方を長手方向の全長に沿って形成していると共に、
上記建物用土台の係止部に追って係止される根太受けは、アルミニウム合金の押出形材をその長手方向にて所定の長さに切断したものであり、上記係止部に係止する段部または係止突条を少なくとも上部に設けた垂直片と、かかる垂直片の上部から屋内側に水平に伸びた水平片と、を長手方向に沿って形成している、
ことを特徴とする建物用土台。
【請求項３】
基礎の上面に沿って配置され且つアルミニウム合金からなる押出形材により形成される土台本体と、かかる土台本体の長手方向における所定の位置に嵌合され且つ上記同様の押出形材からなる補強材と、を備えた建物用土台であって、
上記土台本体は、開口部が基礎側に開口した断面ほぼコ字を呈し、
上記土台本体の屋外側における水切り材の嵌合部および屋内側における根太受けの係止部の少なくとも一方を長手方向の全長に沿って形成していると共に、
上記土台本体の嵌合部に追って嵌合される水切り材は、アルミニウム合金の押出形材からなり、上記嵌合部に嵌合する垂直片またはかかる垂直片に設けた嵌合突条、かかる垂直片の屋外側に位置する水平片、かかる水平片の屋外側に立設する突条、およびかかる突条から斜め下向きで且つ屋外側に傾斜する傾斜片を長手方向の全長に沿って形成している、
ことを特徴とする建物用土台。
【請求項４】
基礎の上面に沿って配置され且つアルミニウム合金からなる押出形材により形成される土台本体と、かかる土台本体の長手方向における所定の位置に嵌合され且つ上記同様の押出形材からなる補強材と、を備えた建物用土台であって、
上記土台本体は、開口部が基礎側に開口した断面ほぼコ字を呈し、
上記土台本体の屋外側における水切り材の嵌合部および屋内側における根太受けの係止部の少なくとも一方を長手方向の全長に沿って形成していると共に、
上記土台本体の係止部に追って係止される根太受けは、アルミニウム合金の押出形材をその長手方向にて所定の長さに切断したものであり、上記係止部に係止する段部または係止突条を少なくとも上部に設けた垂直片と、かかる垂直片の上部から屋内側に水平に伸びた水平片と、を長手方向に沿って形成している、
ことを特徴とする建物用土台。
【発明の詳細な説明】
【０００１】
【発明の属する技術分野】
本発明は、基礎の上面に沿って配置される建物用土台に関する。尚、本明細書において、基礎は、布基礎、べた基礎、または独立基礎などを含む。
【０００２】
【従来の技術】
一般に、コンクリートからなる基礎の上面に沿って固定される建物用土台には、在来工法やプレハブ工法においても、断面角形の木材からなる土台が広く用いられている。かかる木材製の土台は、基礎に埋め込まれたアンカーボルトにより固定されると共に、柱や間柱などもかかる土台を介して立設されている。
【０００３】
しかしながら、従来の木材製の土台には、以下のような問題があった。
(１)白蟻による食害を受け易く、湿気によって腐食し易い。
(２)吸湿および放湿を繰り返すことにより、土台の断面寸法が経年変化するため、建物に歪みを招来させる。
(３)重量が大きいため、現場での作業性に適さないと共に、建物の固定荷重が大きくコスト高になり易い。
(４)柱の直下などの集中荷重を支持する部分とそうでない部分との何れも同一断面であるため、固定荷重が過大となり、当該土台材料の無駄ともなる。
(５)加工精度が低く且つ寸法が狂いやすいため、モジュールユニット化が困難で建物の施工性が低下する。
(６)屋外側の水切り材や屋内側の根太受けを取り付けるため、煩雑な位置決めなどが必要となる。
(７)木材伐採による環境破壊につながり易い。
【０００４】
【発明が解決すべき課題】
本発明は、以上に説明した従来の技術における問題点を解決し、白蟻の食害や湿気による腐食または寸法変化がなく、軽量で加工精度および施工性を高められると共に、屋外側への水切り材や屋内側への根太受けの取り付けも容易となる建物用土台を提供する、ことを課題とする。
【０００５】
【課題を解決するための手段】
本発明は、上記課題を解決するため、建物用土台にアルミニウム合金からなる押出形材を適用すると共に、かかる形材に水切り材との嵌合部や根太受けとの係止部を一体に形成する、ことに着想して成されたものである。
即ち、本発明における第１の建物用土台（請求項１）は、基礎の上面に沿って配置され且つアルミニウム合金からなる押出形材により形成される建物用土台であって、断面がほぼ矩形を呈し、その屋外側における水切り材の嵌合部および屋内側における根太受けの係止部の少なくとも一方を長手方向の全長に沿って形成していると共に、上記建物用土台の嵌合部に追って嵌合される水切り材は、アルミニウム合金の押出形材からなり、上記嵌合部に嵌合する垂直片またはかかる垂直片に設けた嵌合突条、かかる垂直片の屋外側に位置する水平片、かかる水平片の屋外側に立設する突条、およびかかる突条から斜め下向きで且つ屋外側に傾斜する傾斜片を長手方向の全長に沿って形成している、ことを特徴とする。
【０００６】
これによれば、アルミニウム合金の押出形材により建物用土台を形成するため、白蟻の食害や湿気による腐食または寸法変化がなく、長期間にわたり断面や形状および強度が安定した土台となる。また、軽量で固定荷重を小さくでき、加工精度が高く且つ建物の施工性を高められると共に、環境上からも好ましくなる。
しかも、断面が矩形で且つ屋外側に水切り材用の嵌合部や屋内側に根太受け用の係止部の少なくとも一方を長手方向に沿って形成している。このため、水切り材の垂直片などを上記建物用土台の嵌合部に嵌合することにより、かかる水切り材を上記建物用土台の屋外側に容易且つ精度良く位置決めできる。更に、水平片の上で且つ突条の屋内側に建物の外装材に添接する合板を垂直に立設することにより、傾斜片の上を吹き上がる雨水から上記合板を確実に保護することもできる。
加えて、所定の位置で後述する根太受けを容易に係止することも可能となる。
尚、上記長手方向とは、土台を形成する押出形材の押出方向と同じである。
また、水切り材は、建物用土台の長手方向の全長に沿ってほぼ沿って嵌合され且つ位置決めされた後、ネジ止めなどによりその位置を固定される。
【０００７】
また、本発明における異なる形態の第１の建物用土台（請求項２）は、基礎の上面に沿って配置され且つアルミニウム合金からなる押出形材により形成される建物用土台であって、断面がほぼ矩形を呈し、その屋外側における水切り材の嵌合部および屋内側における根太受けの係止部の少なくとも一方を長手方向の全長に沿って形成していると共に、上記建物用土台の係止部に追って係止される根太受けは、アルミニウム合金の押出形材をその長手方向にて所定の長さに切断したものであり、上記係止部に係止する段部または係止突条を少なくとも上部に設けた垂直片と、かかる垂直片の上部から屋内側に水平に伸びた水平片と、を長手方向に沿って形成している、ことを特徴とする。
【０００８】
これによっても、前記腐食または寸法変化がなく、断面や形状および強度が安定すると共に、軽量で固定荷重を小さくでき、加工精度が高く且つ建物の施工性を高められる。
しかも、断面が矩形で且つ屋外側に水切り材用の嵌合部や屋内側に根太受け用の係止部の少なくとも一方を長手方向に沿って形成している。このため、根太受けの垂直片における上部に設けた段部または係止突条を、上記建物用土台における所定の位置の係止部に係止することで、かかる根太受けを上記建物用土台の屋内側に容易に位置決めすることができる。この結果、建物の床部分を迅速に施工することも可能となる。
加えて、前記嵌合部に前記水切材を容易に係止することも可能となる。
尚、根太受けは、これを形成する押出形材をその長手方向に沿って短尺に切断したものであり、建物用土台の屋内側でその長手方向に沿って、複数個が係止される。また、係止された複数の根太受けは、ネジ止めなどにより建物用土台の屋内側に固定されると共に、これの水平片の上に根太および床材が載置される。
【０００９】
一方、本発明による第２の建物用土台（請求項３）は、基礎の上面に沿って配置され且つアルミニウム合金からなる押出形材により形成される土台本体と、かかる土台本体の長手方向における所定の位置に嵌合され且つ上記同様の押出形材からなる補強材と、を備えた建物用土台であって、上記土台本体は、開口部が基礎側に開口した断面ほぼコ字を呈し、係る土台本体の屋外側における水切り材の嵌合部および屋内側における根太受けの係止部の少なくとも一方を長手方向の全長に沿って形成していると共に、上記土台本体の嵌合部に追って嵌合される水切り材は、アルミニウム合金の押出形材からなり、上記嵌合部に嵌合する垂直片またはかかる垂直片に設けた嵌合突条、かかる垂直片の屋外側に位置する水平片、かかる水平片の屋外側に立設する突条、およびかかる突条から斜め下向きで且つ屋外側に傾斜する傾斜片を長手方向の全長に沿って形成している、ことを特徴とする。
【００１０】
これによっても、白蟻の食害、湿気による腐食のおそれ、寸法変化、および建物の歪みを生じるおそれがなく、加工精度が高く且つ建物の施工性を高められる。また、アンカーボルトが貫通する部分や柱が立設されて垂直方向の荷重が集中する部分にのみ補強材を配置するため、一層軽量で固定荷重を小さくすることができる。更に、土台本体の屋外側に水切り材用の嵌合部や屋内側に根太受け用の係止部の少なくとも一方を長手方向に沿って形成している。このため、水切り材の垂直片などを土台本体の嵌合部に嵌合することにより、かかる水切り材を土台本体の屋外側に容易且つ精度良く位置決めできる。更に、水平片の上で且つ突条の屋内側に建物の外装材に添接する合板を垂直に立設することにより、傾斜片の上を吹き上がる雨水から上記合板を確実に保護することもできる。
加えて、所定の位置で前記根太受けを容易に係止することも可能となる。
尚、水切り材は、土台本体の長手方向の全長に沿ってほぼ沿って嵌合され且つ位置決めされた後、ネジ止めなどによりその位置を固定される。
【００１１】
また、本発明における異なる形態の第２の建物用土台（請求項４）は、基礎の上面に沿って配置され且つアルミニウム合金からなる押出形材により形成される土台本体と、かかる土台本体の長手方向における所定の位置に嵌合され且つ上記同様の押出形材からなる補強材と、を備えた建物用土台であって、上記土台本体は、開口部が基礎側に開口した断面ほぼコ字を呈し、係る土台本体の屋外側における水切り材の嵌合部および屋内側における根太受けの係止部の少なくとも一方を長手方向の全長に沿って形成していると共に、上記土台本体の係止部に追って係止される根太受けは、アルミニウム合金の押出形材をその長手方向にて所定の長さに切断したものであり、上記係止部に係止する段部または係止突条を少なくとも上部に設けた垂直片と、かかる垂直片の上部から屋内側に水平に伸びた水平片と、を長手方向に沿って形成している、ことを特徴とする。
【００１２】
これによっても、前記腐食のおそれ、寸法変化、および建物の歪みを生じるおそれがなく、加工精度が高く且つ建物の施工性を高められる。また、アンカーボルトが貫通する部分などの垂直方向の荷重が集中する部分にのみ補強材を配置するため、一層軽量で固定荷重を小さくできる。更に、土台本体の屋外側に水切り材用の嵌合部や屋内側に根太受け用の係止部の少なくとも一方を長手方向に沿って形成している。このため、根太受けの垂直片における上部に設けた段部または係止突条を、土台本体における所定の位置の係止部に係止することにより、かかる根太受けを土台本体の屋内側に容易に位置決めすることができる。その結果、建物の床部分を迅速に施工することも可能となる。
尚、根太受けは、押出形材を長手方向に沿って短尺に切断したものであり、前記土台本体の屋内側でその長手方向に沿って、複数個が係止される。また、係止された複数の根太受けは、ネジ止めなどにより土台本体の屋内側に固定されると共に、これの水平片の上に根太および床材が載置される。
【００１３】
【発明の実施の形態】
以下において、本発明の実施に好適な形態を図面と共に説明する。
図１は、本発明らおける第１の建物用土台１(請求項１)の施工済み状態の概要を模式的に示す斜視図であり、かかる土台１は、図１に示すように、建物の布基礎(基礎)Ｋの上面に沿ってスペーサＳ，ｓなどを介して配置されている。
図１に示すように、建物用土台１は、アンカーボルト２０により布基礎Ｋに固定され、かかるボルト２０は、土台１上に立設される柱Ｈの近傍における当該土台１を貫通している。また、かかる柱Ｈは、後述する接続金具４０を介して垂直に立設される。尚、建物用土台１上の柱Ｈ，Ｈ間には、布基礎Ｋとの間にスペーサＳを介して間柱ｍＨが金具により立設されると共に、互いに平行な建物用土台１，１間には、根太２３が水平に掛け渡される。かかる根太２３は、後述するように根太受け２４の上に固定するか、図１に示すように、かかる根太２３をアルミニウム合金からなる断面角形の中空押出形材とし、その端部の中空部内に根太受け２４が固定されることにより、上記土台１に取り付けられる。この際、根太２３の上面はかかる土台１の上面と同じレベルに配置されている。
【００１４】
図２(Ａ)は、第１の建物用土台１の納まりを示す垂直断面図である。
建物用土台１は、布基礎Ｋにより形成された基礎の上面に沿ってスペーサＳを介して配置され、アルミニウム合金(ＪＩＳ：Ａ６０６３Ｓ−Ｔ５など)の押出形材からなる。図２(Ａ)，図２(Ｂ)に示すように、建物用土台１は、上・下端の水平片２，５および屋外・屋内側の縦片３，４からなる断面がほぼ矩形(長方形)を呈し、かかる断面形状と全体がほぼ相似形の中空部６ａ，６ｂ，６ｃを長手方向(図示で奥行き方向で且つ押出方向)の全長に沿って有する。
【００１５】
中空部６ａ，６ｂ，６ｃは、当該土台１の幅方向における中央付近で且つ不均等な位置に形成された垂直な一対の隔壁７ａ，７ｂにより分割されているため、それらの幅寸法が互いに異なる。因みに、かかる土台１全体の外形における高さは４０ｍｍで且つ幅は１２０ｍｍであり、且つ各部の厚みは約２ｍｍである。
また、建物用土台１は、図２(Ａ)に示すように、上端の水平片２の中央付近に浅い凹溝２ａを有し、屋外側の縦片３の上・下端に、対向する断面Ｌ形で且つ長短の突条８，１０およびこれらの内側の嵌合溝(嵌合部)９，１１を、それぞれ一体に設けている。更に、屋内側の縦片４の上・下端に、水平な突片１２，１３およびその間の浅い凹部(係止部)１４を、それぞれ一体に設けている。
【００１６】
更に、図２(Ａ)に示すように、布基礎Ｋの上には、平面視がほぼ正方形を呈し厚みが約２０ｍｍのスペーサＳが図示で前後方向に沿って複数載置される。かかるスペーサＳは、耐熱性および耐候性を有する硬質の合成ゴムまたは合成樹脂からなり、その中心部には、布基礎Ｋ中の図示しないアンカー部から連続し且つ布基礎Ｋの上面の中央付近から立設するアンカーボルト２０が貫通する。
アンカーボルト２０は、図２(Ａ)に示すように、土台１の中央に位置する中空部６ｃおよびその上下の水平片２，５を貫通し、座金２１を介してナット２２とネジ結合される。この結果、建物用土台１は、複数のスペーサＳを介して布基礎Ｋの上方に沿って固定される。尚、水平片２上で且つ後述する柱Ｈ，Ｈ間には、図２(Ａ)に示す断熱材Ｄおよびその屋内側の内装材(図示せず)が配置される。
【００１７】
また、図２(Ａ)に示すように、建物用土台１の屋外側の縦片３における嵌合溝９，１１には、水切り材３０の垂直片３２が嵌合され且つネジ３７により縦片３に固定される。この水切り材３０も前記同様のアルミニウム合金の押出形材からなり、図２(Ｂ)に示すように、垂直片３２、水平片３３、突条３４、傾斜片３５、およびカバー片３６を一体に有する。例えば、雨天の際に屋外から傾斜片３５上を吹き上がる雨水は、図２(Ａ)に示すように、突条３４により阻止されるため、布基礎Ｋと土台１との間から雨水が屋内側へ浸入する事態を防止できる。尚、合板３８の屋外側には、外装材Ｇが配置されている。
【００１８】
更に、図２(Ａ)に示すように、建物用土台１の屋内側の縦片４に位置する突片１２，１３間の凹部(係止部)１４には、複数の根太受け２４が互いに間隔を置き且つその出隅部の段部２７が個別に係止され且つ垂直片２５が挿入される。
上記根太受け２４も、図２(Ｂ)の下方に示すように、前記同様の押出形材をその長手方向において短く切断したもので、垂直片２５および水平片２６からなる断面ほぼＬ字形を呈し、その出隅部に段部２７が一体に設けられている。かかる根太受け２４は、図２(Ａ)に示すように、垂直片２５を縦片４にネジ３７により固定された後、その水平片２６上に根太２３および床材Ｆが載置される。
【００１９】
以上のような建物用土台１によれば、白蟻の食害や湿気による腐食や寸法変化がなく、長期間にわたり断面や形状および強度が安定する。また、軽量で施工作業性も良く、アルミニウム合金の押出形材にて形成されるため、加工精度が高く且つ建物の施工性を高められる。更に、木材の伐採などの必要もなく且つリサイクルも容易なため、環境上からも好ましい。しかも、断面が矩形で且つ屋外側の嵌合溝(嵌合部)９，１１および屋内側の凹部(係止部)１４を長手方向に沿って形成しているため、水切り材３０の垂直片３２を長手方向に沿って容易且つ精度良く嵌合できると共に、所定の位置で所望数の根太受け２４の垂直片２５などを容易に係止できる。従って、雨水の布基礎Ｋと土台１との間からの浸入を防止し、且つ床材Ｆの施工も精度良く迅速に行うことが可能となる。
【００２０】
次に、建物用土台１を布基礎Ｋの上方で固定する作業について説明する。
図３(Ａ)に示すように、布基礎Ｋにより形成された基礎から立設するアンカーボルト２０は、スペーサＳの中心部を貫通している。尚、建物用土台１を固定する位置は、後述する接続金具４０などがない位置が選定される。
予め、建物用土台１の水平片２，５の幅方向の中央における凹溝２ａなどの付近には、通し孔２ｂを穿孔しておく(水平片５の通し孔の図示は省略)。更に、ナット２２および座金２１を用意する。
【００２１】
次いで、図３(Ｂ)に示すように、アンカーボルト２０を、通し孔２ｂなどに貫通させて建物用土台１を複数のスペーサＳの上に載置する。そして、アンカーボルト２０の上端の雄ネジ部２０ａに、座金２１を挿通させ且つナット２２をネジ結合する。この結果、図３(Ｂ)に示すように、建物用土台１は、複数のスペーサＳを介して布基礎Ｎの上面に沿って強固に固定される。しかも、アンカーボルト２０およびナット２２による締め付けによっても、隔壁７ａ，７ｂがあるため、水平片２の中央付近が変形する事態を防止することができる。
【００２２】
図４(Ａ)は、前記土台１の変形形態である建物用土台１ａの納まり図である。建物用土台１ａも前記同様のアルミニウム合金の押出形材からなり、図４(Ｂ)に示すように、上・下端の水平片２，５、屋外・屋内側の縦片３，４、中空部６ａ，６ｂ，６ｃ、および屋外側の突条８，１０および嵌合溝(嵌合部)９，１１を有している。また、屋内側の縦片４の上端には、断面Ｌ形の突条１５およびその内側の係止溝(係止部)１６が、当該縦片４の下端には水平な突片１７が設けられると共に、突条１５と突片１７のとの間に凹部(係止部)１８が形成されている。
【００２３】
建物用土台１ａも前記土台１と同様にスペーサＳを介して布基礎Ｋの上方に配置され、中空部６ｃなどを貫通する前記アンカーボルト２０により固定される。
また、図４(Ａ)に示すように、アンカーボルト２０が貫通しない位置では、予めベース板４７の上面から立設するボルト４８が、薄肉のスペーサｓを介して、建物用土台１ａの中空部６ｃなどを貫通する。かかるボルト４８の上端における雄ネジ部は、接続金具４０の中間に溶着したナット４６にネジ結合する。かかる金具４０は、矩形の接続板４２と、その下辺４３の中央に下向きの設けた図示しない凹部の中間に溶着したナット４６と、を備えている。
この結果、建物用土台１ａの凹溝２ａに接続板４２の下辺４３を嵌合して、接続金具４０を回転不能に固定した後、布基礎Ｋの上方に沿って前記同様にアンカーボルト２０を介して建物用土台１ａを固定する。
【００２４】
そして、図４(Ａ)に示すように、建物用土台１ａ上における所定の位置に、柱Ｈを接続金具４０を介して接続する。この柱Ｈの下端には、屋内・外方向の中央から垂直に切り込んだスリットｈｓと、接続金具４０のナット４６およびボルト２０の上端を収容する凹部とが形成されている。接続金具４０の接続板４２を、柱Ｈのスリットｈｓに嵌合した後、図示しないピンを柱Ｈに水平に打ち込むと同時に接続板４２の上部に形成した図示しない通し孔を貫通させる。
この結果、柱Ｈを建物用土台１ａ上に抜け出し不能にして垂直に立設することができる。尚、前記土台１上の所定の位置にも、上記同様に接続金具４０を介して柱Ｈが垂直に立設される。
更に、図４(Ａ)に示すように、建物用土台１ａにおける屋外側の縦片３の嵌合溝(嵌合部)９，１１には、水切り材３０の垂直片３２が前記同様に嵌合される。
【００２５】
加えて、図４(Ａ)に示すように、建物用土台１ａの屋内側の縦片４には、根太受け２４ａが配置される。
図４(Ｃ)に示すように、根太受け２４ａも垂直片２５および水平片２６からなる断面ほぼＬ字形を呈し、その出隅部に、係止突条２８と係止溝２９とを設けている。尚、上記突条２８の長さは、土台１ａの突条１５よりも短く設定される。
根太受け２４ａは、以下のようにして建物土台１ａに固定される。先ず、縦片４の上端の係止溝１６に、根太受け２４ａの係止突条２８の先端部を斜めに挿入する。次に、かかる状態で根太受け２４ａを、図４(Ａ)で時計回り方向に回転しつつ押し込むことにより、建物用土台１ａの突条１５を係止溝２９に係止し、且つ当該土台１ａの凹部(係止部)１８に垂直片２５を挿入する。この結果、根太受け２４ａは、位置決めされる。そして、垂直片２５を縦片４にネジ３７により固定した後、水平片２６上に根太２３および床材Ｆが載置される。
以上のような建物用土台１ａによっても前記土台１と同様の効果が得られる。
【００２６】
図５(Ａ)は、本発明の第２の建物用土台５０(請求項２)の納まり図である。
かかる建物用土台５０は、布基礎Ｋの上面に沿って配置される長尺な土台本体５１と、かかる土台本体５１における所定の位置に嵌合され且つ布基礎Ｋから立設するアンカーボルト２０または前記ボルト４８が貫通する位置などに配置される複数の短い補強材６０と、を組み合わせたものである。尚、図５(Ａ)において、建物用土台５０全体の高さは４０ｍｍであり、その幅は１２０ｍｍである。
図５(Ｂ)に示すように、土台本体５１も前記同様のアルミニウム合金の押出形材からなり、下向き(布基礎Ｋ側)に開口する断面ほぼコ字形を呈し、上端の水平片５２および屋外・屋内側の縦片５３，５４と、これらに囲まれた開口部５５とを備えている。水平片５２の中央には、前記同様の凹溝５２ａが位置する。
【００２７】
また、図５(Ｂ)に示すように、土台本体５１における屋外側の縦辺５３の上端と下端付近とには断面Ｌ形で互いに対向する長短の突条５６，５８およびこれらの内側の嵌合溝(嵌合部)５７，５７を、長手方向に沿って有する。
更に、屋内側の縦片５４の上端には、断面Ｌ形の突条５６およびその内側の係止溝(係止部)５７ａを有し、下端には水平な突片５９を有すると共に、これらの間の凹部５７ｂ(係止部)を、それぞれ長手方向(図示で奥行き方向で押出方向)の全長に沿って一体に設けている。
【００２８】
一方、補強材６０も前記同様の押出形材からなり、図５(Ｂ)に示すように、上・下端の水平片６２，６５および屋外・屋内側の縦片６３，６４とからなる断面がほぼ矩形を呈し、その内部には中空部６６ａ，６６ｂ，６６ｃを長手(奥行き)方向に沿って有している。尚、中空部６６ａ，６６ｂ，６６ｃは、補強材６０の幅方向における中央付近の垂直な一対の隔壁６７ａ，６７ｂにより分割され、且つ幅方向の寸法が互いに相違している。
また、図５(Ｂ)に示すように、上端の水平片６２の中央には、土台本体５１の凹溝５２ａの底部を受け入れる幅広い凹溝６２ａが形成されている。更に、屋外側の縦片６３の下端には、下端の水平片６５の先端から立設する突片６８とその内側の小溝６１とが位置すると共に、屋内側の縦片６４の下端には、断面Ｌ字形の突条６９とその内側の幅広の小溝６１とが位置している。
【００２９】
図５(Ａ)，(Ｃ)に示すように、土台本体５１の開口部５５における所定の位置に補強材６０を嵌合すると共に、屋外側において土台本体５１の縦片５３の下端を、補強材６０の小溝６１に挿入し、屋内側において土台本体５１の縦片５４の下端に位置する突片５９を、補強材６０の小溝６１に挿入する。この結果、長尺な土台本体５１における所定の位置に所望数の補強材６０を嵌合した建物用土台５０が組み立てられる。尚、土台本体５１における水平片５２の幅方向における中央付近で且つ凹溝５２ａの底部と、補強材６０の中空部６６ｃの上下に位置する水平片６２，６５には、図５(Ａ)中で破線で示す通し孔を穿孔しておく。
【００３０】
図５(Ａ)，(Ｃ)に示すように、布基礎Ｋ中からその上面に垂直に立設するアンカーボルト２０は、スペーサＳを貫通し、更に建物用土台５０における土台本体５１や補強材６０の上記各通し孔を貫通する。かかる土台５０の上方に突出するアンカーボルト２０の雄ネジ部に座金２１を通してナット２２をネジ結合する。
この結果、建物用土台５０は、補強材６０が嵌合された部分に位置する複数のスペーサＳを介して、布基礎Ｋの上方に沿って配置され且つ固定される。
尚、上記操作の前に、建物用土台５０上における所定の位置に、予め前記接続金具４０の接続板４２をボルト４８など用いて立設しておくものとする。また、土台５０の上で且つ前記柱Ｈ，Ｈ間には、図５(Ａ)に示すように、断熱材Ｄおよびその屋内側の内装材(図示せず)が配置される。更に、図５(Ｃ)は、図５(Ａ)中のＣ−Ｃ線に沿った矢視における建物用土台５０の断面図である。
【００３１】
また、図５(Ａ)に示すように、建物用土台５０における屋外側の縦片５３の嵌合溝(嵌合部)５７，５７には、水切り材３０の垂直片３２が前記同様に嵌合された後、突条３４の内外両側には、合板３８と外装材Ｇとが配置される。
更に、図５(Ａ)に示すように、建物用土台５０の屋内側の縦片５４には、根太受け２４ａが配置される。前記同様に、土台本体５１の突条５６に根太受け２４ａの係止溝２９を係止し且つ係止溝５７ａに係止突条２８を係止することにより、凹部(係止部)５７ｂに垂直片２５を挿入する。この結果、根太受け２４ａは位置決めされる。そして、垂直片２５を土台本体５１の縦片５４などにネジ３７により固定した後、水平片２６の上に根太２３および床材Ｆが載置される。
【００３２】
以上のような建物用土台５０によっても、白蟻の食害、湿気による腐食のおそれ、寸法変化、および建物の歪みを生じるおそれがなく、軽量で施工作業性が良くアルミニウム合金の押出形材で形成されるため、加工精度が高くなる。しかも、嵌合溝５７，５７により、水切り材３０の位置決めが、また、係止溝５７ａおよび凹部５７ｂより、根太受け２４ａの位置決めが、容易で且つ精度も良く行えるため、建物の施工性を高められる。加えて、アンカーボルト２０やボルト４８が貫通する部分にのみ補強材６０を配置すると共に、その隔壁６７ａ，６７ｂにより、土台本体５１や補強材６０の水平片５２，６２の下向きの変形も防止できる。従って、固定荷重を一層小さくし高い強度を有する建物用土台５０となる。
【００３３】
図６(Ａ)は、前記土台５０の変形形態の建物用土台５０ａの納まり図である。
建物用土台５０ａも、前記同様に、布基礎Ｋの上面に沿って配置される長尺な土台本体５１ａと、かかる土台本体５１ａの一部に嵌合され、布基礎Ｋから立設する前記アンカーボルト２０や柱Ｈの直下に位置する前記ボルト４８が貫通する位置などに配置される複数の短い補強材６０ａとを組み合わせたものである。
土台本体５１も前記同様の押出形材からなり、図６(Ａ)に示すように、上端の水平片５２、屋外側・屋内側の縦片５３，５４、およびこれらの囲まれた開口部５５とからなる断面ほぼコ字形を呈する。前記同様に、水平片５２の中央には凹溝５２ａが形成され、屋外側の縦片５３には、前記同様の突条５６，５８およびこれらの内側の嵌合溝(嵌合部)５７が設けられている。また、屋内側の縦片５４の上端および下端付近には水平な突片５９ａ，５９ｂと、これらの間に位置する凹部(係止部)５７ｃとがそれぞれ長手方向(図示で奥行き方向で且つ押出方向)の全長に沿って一体に設けられている。
【００３４】
また、補強材６０ａも前記同様の押出形材からなり、図６(Ａ)に示すように、前記同様の上・下端の水平片６２，６５、屋外・屋内側の縦片６３，６４、およびこれらに囲まれ且つ前記同様の隔壁６７ａ，６７ｂにより３つの中空部６６ａ〜６６ｃを内蔵している。また、水平片６２の中央には幅広の凹溝６２ａが形成され、屋外側の縦片６３の下端には、前記同様の突片６８およびその内側の小溝６１が形成されている。更に、屋内側の縦片６４の下端には、断面Ｌ字形の突条６９およびその内側の小溝６１が形成されている。
前記同様に、土台本体５１ａの開口部５５における所定の位置に補強材６０ａを嵌合すると共に、屋外側にて土台本体５１の縦片５３の下端を、補強材６０ａの小溝６１内に挿入し、屋内側において土台本体５１ａの縦片５４の下端を、補強材６０ａの小溝６１内に挿入し且つ突片５９ｂを突条６９の上面に載せる。
この結果、図６(Ａ)に示すように、長尺な土台本体５１ａにおける所定の位置に所望数の補強材６０ａを嵌合した建物用土台５０ａが組み立てられる。
【００３５】
土台本体５１ａの水平片５２の幅方向における中央付近で且つ凹溝５２ａの底部と、補強材６０ａの中空部６６ｃの上下に位置する水平片６２，６５とに、それぞれ通し孔を穿孔し且つこれらを長手方向の所定の位置ごとに穿孔しておく。
先ず、図６(Ａ)に示すように、ベース板４７上から立設するボルト４８を、薄肉のスペーサｓに貫通し且つ建物用土台５０ａにおける上記各通し孔に貫通させた後、接続板４２の底辺４３が凹溝５２ａ内に嵌合するように、ベース板４７を回転して、上記ボルト４８を接続金具４０のナット４６にネジ結合させる。
この結果、接続金具４０の接続板４２が、建物用土台５１ａ上における所定の位置に垂直に立設して固定される。
【００３６】
次に、前記図５(Ａ)と同様に、布基礎ＫからスペーサＳを介して立設するアンカーボルト２０を、建物用土台５０ａの異なる位置における土台本体５１ａや補強材６０ａの上記各通し孔に貫通させ、且つ座金２１を介してナット２２に螺着させる。この結果、建物用土台５０ａが布基礎Ｋの上面に沿って固定される。
そして、図６(Ａ)に示すように、柱Ｈ下端のスリットｈｓに接続板４２を嵌合し、且つ柱Ｈに図示しないピンを水平に打ち込みと同時に接続板４２の上部を貫通させることにより、建物用土台５０ａ上に柱Ｈを立設することができる。尚、水切り材３０や根太受け２４を前記同様に土台５０ａに取り付け且つ固定する。
また、前記と同様に、土台本体５１ａの嵌合溝５７，５７に水切り材３０の垂直片３２を嵌合する。更に、土台本体５１ａの突片５９ａに根太受け２４の段部２７を係止し、且つ上記本体５１ａの凹部５７ｃに根太受け２４の垂直片２５を挿入した後、ネジ３７により縦片５４などに根太受け２４を固定する。その後、水平片２６の上に根太２３および床材Ｆが載置される。
以上の建物用土台５０ａによっても、前記土台５０と同様な効果が得られる。
【００３７】
図６(Ｂ)は、前記土台１の変形形態である建物用土台１ｂおよびその屋外側に嵌合する水切り材３０ａを示す。かかる土台１ｂは、図６(Ｂ)に示すように、その屋外側の縦片３の上下に断面Ｌ字形の突条８ａ，１０およびそれらの内側で上向きに開口する嵌合溝(嵌合部)９ａ，１１を一体に設けている。
一方、水切り材３０ａは、前記と同様の垂直片３２、水平片３３、突条３４、傾斜片３５、およびカバー片３６を有すると共に、垂直片３２の上・下端に、断面Ｌ字形で下向きの嵌合突条３１，３１を一体に付設している。
前記のように、布基礎Ｋ上に固定した建物用土台１ｂの縦片３における上下の嵌合溝９ａ，１１に対し、水切り材３０ａを上方から降ろしつつ、嵌合突条３１，３１を下向きに嵌合する。その結果、図６(Ｂ)に示すように、水切り材３０ａは、土台１ｂに容易に位置決めされる。その後、前記ネジ３７にて固定される。
【００３８】
図６(Ｃ)は、前記土台１の変形形態の建物用土台１ｃおよびその屋内側に係止する根太受け２４ｂを示す。土台１ｃは、図６(Ｃ)に示すように、その屋内側の縦片４の上下に断面Ｌ字形の突条１９，１９ａおよびそれらの内側で上向きに開口する係止溝(係止部)１１ａ，１１ｂを一体に設けている。一方、根太受け２４ｂは、その垂直片２５の上下端に断面Ｌ字形で下向きの係止突条２８ａ，２８ｂと、上端の突条２８ａの内側に位置する係止溝２９ａと、を一体に設けている。
前記と同様に、布基礎Ｋ上に固定した建物用土台１ｃの縦片４における上下の係止溝１１ａ，１１ｂに対して、根太受け２４ｂを上方から降ろしつつ、その係止突条２８ａ，２８ｂを下向きに係止する。その結果、図６(Ｃ)に示すように、根太受け２４ｂは、建物用土台１ｃに容易に位置決めされる。その後、根太受け２４ｂは、前記ネジ３７によって縦片４に固定される。
【００３９】
図６(Ｄ)は、前記土台１の変形形態である建物用土台１ｄおよびその屋内側に係止する根太受け２４ｃを示す。建物用土台１ｄは、図６(Ｄ)に示すように、その屋内側の縦片４の上下端に断面Ｌ字形で互いに対向する突条１５，１９ａおよびそれらの内側に位置する係止溝(係止部)１６，１１ｂを一体に設けている。
一方、根太受け２４ｃは、その垂直片２５の上端に断面Ｌ字形の係止突条２８およびその内側の係止溝２９と、垂直片２５の下端に垂直で薄肉の係止突条２８ｃと、を一体に設けている。
前記と同様に、布基礎Ｋ上に固定した建物用土台１ｄの縦片４における上下の係止溝１６，１１ｂに対し、根太受け２４ｃの突条２８，２８ｃを長手方向から挿入し所定の位置で係止する。その結果、図６(Ｄ)に示すように、根太受け２４ｃは、上記土台１ｄに位置決めされた後、前記同様にして縦片４に固定される。
【００４０】
尚、本発明の建物用土台は、以上において説明した各形態に限定されるものではなく、その趣旨を逸脱しない範囲で適宜変更することも可能である。
例えば、図６(Ｂ)の水切り材３０ａは、前記建物用土台５０，５０ａにおける土台本体５１，５１ａの変形形態に対しても、嵌合することが可能である。
また、図６(Ｃ)，(Ｄ)の根太受け２４ｂ，２４ｃも、前記土台５０，５０ａにおける土台本体５１，５１ａの変形形態に対して係止することが可能である。
【００４１】
【発明の効果】
以上に説明した本発明の第１の建物用土台（請求項１）によれば、白蟻の食害や湿気による腐食または寸法変化がなく、長期間にわたり断面や形状および強度が安定した土台となる。また、アルミニウム合金の押出形材で形成されるため、軽量で加工精度が高く且つ建物の施工性を高められると共に、環境上からも好ましくなる。しかも、屋外側の嵌合部や屋内側の係止部の少なくとも一方を長手方向に沿って形成しているため、水切り材の垂直片などを長手方向に沿って容易且つ精度良く嵌合でき、あるいは所定の位置で根太受けを容易且つ精度良く係止することも可能となる。
また、異なる形態の第１の建物用土台（請求項２）によっても、上記と同様の効果を奏することができる。
【００４２】
一方、本発明の第２の建物用土台（請求項３）によれば、前記の効果に加えて、アンカーボルトが貫通する部分や柱が立設されて垂直方向の荷重が集中する部分にのみ補強材を配置するため、一層軽量で固定荷重を小さくすることができる。しかも、前記土台本体における屋外側の嵌合部や屋内側の係止部の少なくとも一方を長手方向に沿って形成しているため、水切り材の垂直片などを長手方向に沿って容易且つ精度良く嵌合でき、あるいは所定の位置で根太受けを容易且つ精度良く係止することも可能となる。
また、異なる形態の第２の建物用土台（請求項４）によっても、上記と同様の効果を奏することができる。
【図面の簡単な説明】
【図１】本発明の建物用土台を布基礎上に施工した状態の概要を模式的に示す斜視図。
【図２】  (Ａ)は図１の建物用土台の納まりを示す垂直断面図、(Ｂ)は(Ａ)中の建物用土台などを示す斜視図。
【図３】  (Ａ)，(Ｂ)は図１の建物用土台を布基礎の上に固定する状態を示す概略図。
【図４】  (Ａ)は図１の土台の変形形態の建物用土台の納まりを示す垂直断面図、(Ｂ)は(Ａ)中の建物用土台を示す斜視図、(Ｃ)は(Ａ)中の根太受けを示す斜視図。
【図５】  (Ａ)は異なる形態の建物用土台の納まりを示す垂直断面図、(Ｂ)は(Ａ)中の建物用土台などを示す斜視図、(Ｃ)は(Ａ)中のＣ−Ｃ線に沿った矢視の断面図。
【図６】  (Ａ)は図５の土台の変形形態の建物用土台の納まりを示す垂直断面図、(Ｂ)は図１の土台の変形形態および異なる形態の水切り材を示す断面図、(Ｃ)，(Ｄ)は図１の土台における別の変形形態および異なる形態の根太受けとを示す断面図。
【符号の説明】
１，１ａ〜１ｄ，５０，５０ａ……………建物用土台
９，９ａ，１１，５７………………………嵌合溝(嵌合部)
１１ａ，１１ｂ，１６，５７ａ……………係止溝(係止部)
１４，１８，５７ｂ，５７ｃ………………凹部(係止部)
２４，２４ａ〜２４ｃ………………………根太受け
２５……………………………………………垂直片
２６……………………………………………水平片
２７……………………………………………段部
２８，２８ａ〜２８ｃ………………………係止突条
３０，３０ａ…………………………………水切り材
３１……………………………………………嵌合突条
３２……………………………………………垂直片
３３……………………………………………水平片
３４……………………………………………突条
３５……………………………………………傾斜片
５１，５１ａ…………………………………土台本体
５５……………………………………………開口部
６０，６０ａ…………………………………補強材
Ｋ………………………………………………布基礎(基礎)
【図１】
0003941582.tif 000002
【図２】
0003941582.tif 000003
【図３】
0003941582.tif 000004
【図４】
0003941582.tif 000005
【図５】
0003941582.tif 000006
【図６】
0003941582.tif 000007